(57)【要約】      （修正有）【課題】浴槽を使用、排水により膨張、収縮を繰り返しても浴槽の脚部と底面に掛かる応力集中を軽減できる浴槽を提供する。【解決手段】脚部２（ｉ）は短手方向ＤＳ２を有し、組合せＣ（ｉ，ｊ）は、ｉ番目の脚部２（ｉ）とｊ番目の脚部２（ｊ）との組合せで、ｉ番目の脚部２（ｉ）を基準とし、距離Ｌ（ｉ，ｊ）は、組合せＣ（ｉ，ｊ）における脚部２（ｉ）、２（ｊ）の中心Ｐ（１）、Ｐ（２）間を結ぶ距離である。方向Ｄ（ｉ，ｊ）は、組合せＣ（ｉ，ｊ）の中心Ｐ（１）、Ｐ（２）間を結ぶ方向で、角度Ａ（ｉ，ｊ）は、ｉ番目の脚部２（ｉ）の短手方向ＤＳ２と方向Ｄ（ｉ，ｊ）の角度であり、距離Ｌ（ｉ，ｊ）の最大値を与える組合せＣ（ｉ，ｊ）に関連する角度Ａ（１，３）を、最大値を与えない組合せＣ（ｉ，ｊ）に関連する角度Ａ（ｉ，ｊ）より小さくするよう脚部２（ｉ）の短手方向ＤＳ２が選択され、ｎは３以上の数で、ｉ及びｊは１からｎまでの数とした。【選択図】図４
2013111258.tif 000002
【特許請求の範囲】
【請求項１】
水平方向に広がる底部と、該底部から下方に突出するｎ個の脚部とを備える、浴槽であって、
前記脚部は、平面視において短手方向を有しており、
組合せＣ（ｉ，ｊ）は、ｉ番目の前記脚部とｊ番目の前記脚部との組合せであり、ｉ番目の脚部を基準としており、
距離Ｌ（ｉ，ｊ）は、前記組合せＣ（ｉ，ｊ）における前記脚部の中心間を結ぶ距離であり、
方向Ｄ（ｉ，ｊ）は、前記組合せＣ（ｉ，ｊ）における前記中心間を結ぶ方向であり、
角度Ａ（ｉ，ｊ）は、ｉ番目の前記脚部の短手方向と前記方向Ｄ（ｉ，ｊ）とのなす角度であり、
前記距離Ｌ（ｉ，ｊ）の最大値を与える前記組合せＣ（ｉ，ｊ）に関連する前記角度Ａ（ｉ，ｊ）を、前記最大値を与えない前記組合せＣ（ｉ，ｊ）に関連する前記角度Ａ（ｉ，ｊ）よりも小さくするように、前記各脚部の前記短手方向が選択されており、
前記ｎは３以上の数であり、前記ｉ及びｊは、１からｎまでの数である、浴槽。
【請求項２】
前記最大値を与える前記組合せＣ（ｉ，ｊ）に関連する前記角度Ａ（ｉ，ｊ）は、略０度である、請求項１に記載の浴槽。
【請求項３】
前記底部は、平面視において、四角形又は四隅に丸みを有する四角形形状を有しており、
４つの前記脚部の前記中心が、前記底部の２つの対角線上に、前記底部の中心に対して対称に設けられている、請求項１又は２に記載の浴槽。
【請求項４】
前記脚部は、平面視において、四隅に丸みを有する長方形形状を有している、請求項１から３のいずれか１つに記載の浴槽。
【請求項５】
浴槽の設計方法であって、
前記浴槽は、水平方向に広がる底部を有する槽本体と、前記底部から下方に突出するｎ個の脚部とを備えており、
前記脚部は、平面視において短手方向を有しており、
組合せＣ（ｉ，ｊ）は、ｉ番目の前記脚部とｊ番目の前記脚部との組合せであり、ｉ番目の脚部２（ｉ）を基準としており、
距離Ｌ（ｉ，ｊ）は、前記組合せＣ（ｉ，ｊ）における前記脚部の中心間を結ぶ距離であり、
方向Ｄ（ｉ，ｊ）は、前記組合せＣ（ｉ，ｊ）における前記中心間を結ぶ方向であり、
角度Ａ（ｉ，ｊ）は、ｉ番目の前記脚部の短手方向と前記方向Ｄ（ｉ，ｊ）とのなす角度であり、
前記脚部２（ｉ）の中心を設ける位置を前記底部上で決定する工程と、
前記距離Ｌ（ｉ，ｊ）の最大値を与える前記組合せＣ（ｉ，ｊ）の前記角度Ａ（ｉ，ｊ）を、前記最大値を与えない前記組合せＣ（ｉ，ｊ）に関連する前記角度Ａ（ｉ，ｊ）よりも小さくするように、前記各脚部の前記短手方向を選択する工程と、を備えており、
前記ｎは３以上の数であり、前記ｉ及びｊは、１からｎまでの数である、浴槽の設計方法。
【発明の詳細な説明】
【技術分野】
【０００１】
本発明は、水平方向に広がる底部と、該底部から下方に突出する脚部とを備える、浴槽に関する。
【背景技術】
【０００２】
特許文献１は、浴室内の床上に配置される浴槽を開示している。このような浴槽は、床上に浴槽本体を支持するための脚部を有している。
【０００３】
図１０は、下方から見た従来の浴槽９０１の斜視図である。浴槽９０１は、底部９０３及び４つの脚部９０２を有している。底部９０３の形状は、平面視において概ね四角形形状である。４つの脚部９０２は、底部９０３の対角線上に、底部９０３の中心位置に対して対称に配置されている。脚部９０２の形状は、平面視において概ね長方形である。脚部９０２の長手方向が底部９０３の短手方向と平行となるように、脚部９０２は取り付けられている。
【先行技術文献】
【特許文献】
【０００４】
【特許文献１】特開２００８−１５６８１６号公報
【発明の概要】
【発明が解決しようとする課題】
【０００５】
浴槽は温度変化によって熱膨張／熱収縮する。例えば、温水が浴槽内に満たされた後、その温水が排水される場合、浴槽は膨張した後収縮する。
【０００６】
図１０に示される浴槽９０１において、脚部９０２は床面に接している。底部９０３が膨張／圧縮するときに、底部３の各部は変位する。このため、脚部９０２は底部９０３と一緒に移動しようとする。しかし、脚部９０２と床面との間に摩擦力が発生し、この摩擦力が脚部９０２の移動を抑制するように力を及ぼす。つまり、摩擦力が、底部９０３において２つの脚部９０２間に挟まれる領域の膨張／圧縮を抑制する。底部９０３において２つの脚部９０２によって拘束される領域に、負荷が掛かる。特に、脚部９０２の周辺の底部９０３に応力集中が発生する。
【０００７】
応力集中の発生する箇所は、破壊の起点となりうる。浴槽の破壊を防止するために、浴槽の強度を高めることが考えられる。しかし、浴槽の強度を高めるために、浴槽の材料を変更したり、浴槽の厚みを増加させると、浴槽の製造コストの増大を招いてしまう。
【０００８】
そこで、本発明は、底部に掛かる応力集中を低減できる浴槽を提供する。
【課題を解決するための手段】
【０００９】
本発明に係る浴槽は、水平方向に広がる底部と、該底部から下方に突出するｎ個の脚部とを備える、浴槽であって、前記脚部は、平面視において短手方向を有しており、組合せＣ（ｉ，ｊ）は、ｉ番目の前記脚部とｊ番目の前記脚部との組合せであり、ｉ番目の脚部を基準としており、距離Ｌ（ｉ，ｊ）は、前記組合せＣ（ｉ，ｊ）における前記脚部の中心間を結ぶ距離であり、方向Ｄ（ｉ，ｊ）は、前記組合せＣ（ｉ，ｊ）における前記中心間を結ぶ方向であり、角度Ａ（ｉ，ｊ）は、ｉ番目の前記脚部の短手方向と前記方向Ｄ（ｉ，ｊ）とのなす角度であり、前記距離Ｌ（ｉ，ｊ）の最大値を与える前記組合せＣ（ｉ，ｊ）に関連する前記角度Ａ（ｉ，ｊ）を、前記最大値を与えない前記組合せＣ（ｉ，ｊ）に関連する前記角度Ａ（ｉ，ｊ）よりも小さくするように、前記各脚部の前記短手方向が選択されており、前記ｎは３以上の数であり、前記ｉ及びｊは、１からｎまでの数である。
【００１０】
好ましくは、前記最大値を与える前記組合せＣ（ｉ，ｊ）に関連する前記角度Ａ（ｉ，ｊ）は、略０度である。
【００１１】
好ましくは、前記底部は、平面視において、四角形又は四隅に丸みを有する四角形形状を有しており、４つの前記脚部の前記中心が、前記底部の２つの対角線上に、前記底部の中心に対して対称に設けられている。
【００１２】
好ましくは、前記脚部は、平面視において、四隅に丸みを有する長方形形状を有している。
【００１３】
本発明に係る浴槽の設計方法は、浴槽の設計方法であって、前記浴槽は、水平方向に広がる底部を有する槽本体と、前記底部から下方に突出するｎ個の脚部とを備えており、前記脚部は、平面視において短手方向を有しており、組合せＣ（ｉ，ｊ）は、ｉ番目の前記脚部とｊ番目の前記脚部との組合せであり、ｉ番目の脚部２（ｉ）を基準としており、距離Ｌ（ｉ，ｊ）は、前記組合せＣ（ｉ，ｊ）における前記脚部の中心間を結ぶ距離であり、方向Ｄ（ｉ，ｊ）は、前記組合せＣ（ｉ，ｊ）における前記中心間を結ぶ方向であり、角度Ａ（ｉ，ｊ）は、ｉ番目の前記脚部の短手方向と前記方向Ｄ（ｉ，ｊ）とのなす角度であり、前記脚部２（ｉ）の中心を設ける位置を前記底部上で決定する工程と、前記距離Ｌ（ｉ，ｊ）の最大値を与える前記組合せＣ（ｉ，ｊ）の前記角度Ａ（ｉ，ｊ）を、前記最大値を与えない前記組合せＣ（ｉ，ｊ）に関連する前記角度Ａ（ｉ，ｊ）よりも小さくするように、前記各脚部の前記短手方向を選択する工程と、を備えており、前記ｎは３以上の数であり、前記ｉ及びｊは、１からｎまでの数である。
【００１４】
なお、脚部の中心は、この脚部の外周上の２点間を結ぶ線分のうち、最も長い線分の中点を指している。
【発明の効果】
【００１５】
本発明に係る浴槽は、底部に掛かる応力集中を低減できる。
【図面の簡単な説明】
【００１６】
【図１】図１は、上方より見た第１実施形態に係る浴槽の斜視図である。
【図２】図２は、図１のＡ−Ａ断面図である。
【図３】図３は、下方より見た第１実施形態に係る浴槽の斜視図である。
【図４】図４は、第１実施形態に係る底部の下面図である。
【図５】図５は、第２実施形態に係る底部の下面図である。
【図６】図６は、試験に用いられた平板及び足ゴムの下面図である。
【図７】図７は、試験に用いられた平板及び足ゴムの側面図である。
【図８】図８は、足ゴムの形状による平板内の応力分布を示す図である。
【図９】図９は、足ゴムの形状による平板内の変形量分布を示す図である。
【図１０】図１０は、下方から見た従来の浴槽の斜視図である。
【発明を実施するための形態】
【００１７】
（第１実施形態）
図１から図４を参照して、第１実施形態に係る浴槽１を説明する。
【００１８】
図１は、上方より見た第１実施形態に係る浴槽１の斜視図である。図２は、図１のＡ−Ａ断面図である。図１、図２において、浴槽１は、下方から上方に向けて、脚部２、底部３、下屈曲部４、側壁１０、上屈曲部５、及びフランジ６を有している。脚部２は、底部３の下面に固定されている。底部３は、水平方向に広がっている。下屈曲部４は、底部３の外側端から上方に向けて屈曲している。側壁１０は下屈曲部４の上端から上方に延びている。上屈曲部１５は、側壁１０の上端から水平方向の外側へと屈曲している。フランジ６は、上屈曲部１５の外側端から水平方向の外側に広がっている。脚部２、底部３、下屈曲部４、側壁１０、上屈曲部５、及びフランジ６は、いずれも概ね一定の厚さを有している。脚部２、底部３、下屈曲部４、側壁１０、及び上屈曲部５は、水を溜める容器を形成している。
【００１９】
図１、図２において、底部３、下屈曲部４、側壁１０、上屈曲部５、及びフランジ６は、境界面Ｂ１、Ｂ２、Ｂ３、Ｂ４によって区分されている。これらの境界面Ｂ１、Ｂ２、Ｂ３、Ｂ４は、曲率が変化する位置を指している。つまり、底部３、下屈曲部４、側壁１０、上屈曲部５、及びフランジ６の曲率は、互いに異なっている。
【００２０】
図３は、下方より見た第１実施形態に係る浴槽１の斜視図である。底部３は、一方向に相対的に長く形成されており、長手方向ＤＬ３及び短手方向ＤＳ３を有している。浴槽１は、底部３の下面上に、４つの脚部２を備えている。
【００２１】
脚部２は、平面視において、四隅に丸みを有する長方形形状を有している。脚部２は一方向に相対的に長く形成されており、長手方向ＤＬ２及び短手方向ＤＳ２を有している。
【００２２】
図４を参照して、底部３に取り付けられる脚部２の姿勢を決定する基準を説明する。底部３が熱膨張／熱収縮するときに、底部３に掛かる応力集中を低減するように、脚部２の姿勢（短手方向ＤＳ２の向き）が決定されている。ここで、底部３において応力集中が発生する領域は、２つの脚部２間に挟まれる領域である。
【００２３】
図４は、第１実施形態に係る底部３の下面図である。図４において、符号２（ｉ）、２（ｊ）は、４つの脚部２のいずれか１つを指している。同じく、符号Ｐ（ｉ）、Ｐ（ｊ）はそれぞれ、脚部２（ｉ）の中心、脚部２（ｊ）の中心を指している。変数ｉ及びｊは、１から４までの数である。なお、脚部２の中心Ｐ（ｉ）は、この脚部２（ｉ）の外周上の２点間を結ぶ線分のうち、最も長い線分の中点を指している。
【００２４】
まず、各脚部２について、脚部２（ｉ）の中心Ｐ（ｉ）を設ける位置が、底部３上で決定されている。第１実施形態では、４つの中心Ｐ（ｉ）が長方形の頂点となるように、各中心Ｐ（ｉ）底部３上における位置が選択されている。
【００２５】
組合せＣ（ｉ，ｊ）、距離Ｌ（ｉ，ｊ）、方向Ｄ（ｉ，ｊ）、及び角度Ａ（ｉ，ｊ）を以下のように定義する。
組合せＣ（ｉ，ｊ）は、ｉ番目の脚部２（ｉ）とｊ番目の脚部２（ｊ）との組合せであり、ｉ番目の脚部２（ｉ）を基準としている。
距離Ｌ（ｉ，ｊ）は、組合せＣ（ｉ，ｊ）における脚部２（ｉ）、２（ｊ）の中心Ｐ（ｉ）、Ｐ（ｊ）間を結ぶ距離である。
方向Ｄ（ｉ，ｊ）は、前記組合せＣ（ｉ，ｊ）における中心Ｐ（ｉ）、Ｐ（ｊ）間を結ぶ方向である。
角度Ａ（ｉ，ｊ）は、ｉ番目の脚部２（ｉ）の短手方向ＤＳ２と前記方向Ｄ（ｉ，ｊ）とのなす角度である。
【００２６】
図４は、１番目の脚部２（１）を基準とする、３つの距離Ｌ（ｉ，ｊ）、３つの方向Ｄ（ｉ，ｊ）、及び３つの角度Ａ（ｉ，ｊ）を示している。図４において、距離Ｌ（１，３）が、他の距離Ｌ（１，２）、Ｌ（１，４）よりも大きい。このため、組合せＣ（１，３）が、距離Ｌ（ｉ，ｊ）の最大値を与える組合せＣ（ｉ，ｊ）である。これに基づいて、最大値を与える組合せＣ（ｉ，ｊ）に関連する角度Ａ（１，３）が、他の角度Ａ（１，２）、Ａ（１，４）よりも大きくなるように、１番目の脚部２（１）の短手方向ＤＳ２が選択されている。２番目から４番目の脚部２（２）、２（３）、４（４）についても、１番目の脚部２（１）と同様の基準に基づいて、底部３上における短手方向ＤＳ２が選択される。
【００２７】
上記基準によって脚部２の短手方向ＤＳ２を決定することによる作用を説明する。２つの脚部２間の距離が大きくなるほど、これらの２つの脚部２によって拘束される底部３の長さが長くなる。この拘束は、脚部２と床面との間に発生する摩擦力が、底部３の膨張／収縮による脚部２の移動を妨げることによって発生する。膨張／圧縮によって底部３の各部において同一の変形が発生すると仮定すると、底部３の長さが長くなるほど、底部３の変位量は大きくなる。したがって、拘束される長さが長くなるほど、拘束によって発生する応力が増大する。一方、各脚部２に発生する摩擦力は、脚部２の断面内に分散される。したがって、脚部２の断面積が大きくなるにつれて、脚部２の断面内の各部に掛かる摩擦力が小さくなる。以上を考慮すると、２つの脚部２の中心間方向において脚部２の幅が小さくなるほど、２つの脚部２が底部３に及ぼす単位面積当たりの摩擦力が小さくなる。この結果、２つの脚部２による拘束が小さくなり、底部３の変形を許容しやすくなる。変形が許容されるので、底部３に発生する応力が小さくなる。上記基準は、脚部２の短手方向ＤＳ２を、拘束される長さの最大値の方向に近づける手順を提供している。つまり、脚部２の短手方向ＤＳ２は、脚部２の幅がもっとも小さな方向を指している。このため、本基準は、底部３に発生する応力を低減する手順を与えている。
【００２８】
（第２実施形態）
図５を参照して、第２実施形態に係る浴槽１を説明する。第２実施形態に係る浴槽１は、脚部２の中心Ｐを底部３上に設ける位置及び脚部２の短手方向ＤＳ２において、第１実施形態に係る浴槽１とは異なっている。これらの点を除いて、第２実施形態に係る浴槽１は、第１実施形態に係る浴槽１と同一の構成を有している。
【００２９】
図５は、第２実施形態に係る底部３の下面図である。底部３の外周は、四隅に丸みを有する長方形形状を有している。図５において、底部３の２つの対角線３Ｄは、底部３の外周に丸みがない場合における長方形に含まれる対角線を指している。底部３の中心Ｍは、２つの対角線３Ｄの交点を指している。
【００３０】
まず、各脚部２について、脚部２（ｉ）の中心Ｐ（ｉ）を設ける位置が、底部３上で決定されている。第２実施形態では、４つの脚部２の中心Ｐが、底部３の２つの対角線３Ｄ上に、底部３の中心Ｍに対して対称に設けられている。
【００３１】
図５において、距離Ｌ（１，３）が、他の距離Ｌ（１，２）、Ｌ（１，４）よりも大きい。このため、組合せＣ（１，３）が、距離Ｌ（ｉ，ｊ）の最大値を与える組合せＣ（ｉ，ｊ）である。これに基づいて、前記最大値を与える組合せＣ（ｉ，ｊ）に関連する角度Ａ（ｉ，ｊ）が略０度となるように、１番目の脚部２（１）の短手方向ＤＳ２が選択されている。
【００３２】
（試験例）
図６から図９を参照して、足ゴム２１、２２、２３、２４の形状による平板１０３の応力及び変形量の解析結果を説明する。ここで、足ゴム２１、２２、２３、２４は、脚部２に相当し、平板１０３は、底部３に相当する。
【００３３】
図６は、試験に用いられた平板１０３及び足ゴム２１、２２、２３、２４の下面図である。図７は、試験に用いられた平板１０３及び足ゴム２１、２２、２３、２４の側面図である。
【００３４】
図６において、平板１０３は、長方形であり、長手方向ＤＬ１０３に１２００ｍｍの長さを有し、短手方向ＤＳ１０３に８００ｍｍの長さを有している。図７において、平板１０３は、１０ｍｍの厚さを有している。
【００３５】
図６において、第１足ゴム２１は円柱であり、第２足ゴム２２は立方体であり、第３足ゴム２３は第１楕円状柱状体であり、第４足ゴム２４は第２楕円状柱状体である。楕円状柱状体の断面は、四隅に丸みを有する長方形を指している。第３足ゴムの短手方向は、第４足ゴムの短手方向と異なっている。図６は、説明の便宜上、４種類の足ゴム２１、２２、２３、２４を同時に示しているが、試験では、１つの平板１０３に４つの同一種類の足ゴムが設けられている。以下、ケース１は、４つの第１足ゴム２１が平板１０３上に設けられる場合を指し、ケース２は、４つの第２足ゴム２２が平板１０３上に設けられる場合を指し、ケース３は、４つの第３足ゴム２３が平板１０３上に設けられる場合を指し、ケース４は、４つの第４足ゴム２４が平板１０３上に設けられる場合を指す。
【００３６】
図６において、第１足ゴム２１の直径Ｌ２１は７２．８ｍｍであり、第２足ゴム２２の対角線長さＬ２２は９４．５ｍｍであり、第３足ゴム２３の長手方向長さＬ２３は９４．７ｍｍであり、第４足ゴムの短手方向長さＬ２４は５７．５ｍｍである。図７において、足ゴム２１、２２、２３、２４の高さは、５０ｍｍである。
【００３７】
平板１０３上に、４つの基準位置Ｐ０が設けられている。各足ゴムは、基準位置Ｐ０から長手方向ＤＬ３に対して４５度の方向に配置されている。特に、第３足ゴム２３は、長手方向長さＬ２３が前記４５度の方向と平行となるように、配置されており、第４足ゴム２３は、短手方向長さＬ２４が前記４５度の方向と平行となるように、配置されている。
【００３８】
実験における解析条件は、以下の通りである。
（１）足ゴムの下面：完全拘束（床面との摩擦により足ゴムが移動しない）
（２）足ゴムと平板との界面：固着
（３）平板の温度条件：温度が２０℃から８５℃に変化する。
（３）足ゴムの温度条件：なし（温度が２０℃に保たれる）
（４）平板の上面（浴槽の底面）に加わる想定圧力：６．２ＧＰａ、５．８×１０−５／℃
（５）足ゴムの下面（脚部の下面）に加わる想定圧力：１．５ＧＰａ、０．０／℃
【００３９】
上記解析条件に基づく実験を行った結果、図８及び図９に示される解析結果が得られた。
【００４０】
図８は、足ゴム２１、２２、２３、２４の形状による平板１０３内の応力分布を示す図である。図８（１）、（２）、（３）、（４）は、それぞれ、ケース１（円柱）、ケース２（立方体）、ケース３（第１楕円状柱状体）、ケース４（第２楕円状柱状体）の分布図を示している。図８において、応力が比較的高い３つの領域について、応力が高くなるにつれて、斜線の密度が高くなっている。４つの足ゴムによって囲まれる領域の応力を４つのケースについて比較すると、ケース４における応力が最も低い。つまり、ケース４は、他のケースと比べて、応力の発生を抑制できる。なお、応力の最大値σｍａｘは、ケース１及びケース４において同一である。
【００４１】
図９は、足ゴム２１、２２、２３、２４の形状による平板１０３内の変形量分布を示す図である。図９（１）、（２）、（３）、（４）は、それぞれ、ケース１（円柱）、ケース２（立方体）、ケース３（第１楕円状柱状体）、ケース４（第２楕円状柱状体）の分布図を示している。図９において、変位量が比較的高い３つの領域について、応力が高くなるにつれて、斜線の密度が高くなっている。４つの足ゴムによって囲まれる領域の変位量を４つのケースについて比較すると、ケース４における変位量が最も高い。つまり、ケース４は、他のケースと比べて、平板１０３の変形を拘束しない。これは、変形を許容することによって応力の発生を抑制していることを意味しており、図８の結果に対応している。
【００４２】
また、図８、図９におけるケース１、２を比較すると、ケース１の方がケース２よりも応力の発生が抑制され、且つ変形量が大きい。この結果によれば、足ゴムの外周が滑らかな曲線によって構成される場合は、外周形状が折れ線を含む場合と比べて、応力の発生を抑制でき且つ変形量を増大できる。
【００４３】
（各実施形態に係る浴槽の効果）
本実施形態に係る浴槽の効果を説明する。
【００４４】
第１、第２実施形態に係る浴槽１では、距離Ｌ（ｉ，ｊ）の最大値を与える組合せＣ（ｉ，ｊ）に関連する角度Ａ（１，３）が、他の角度Ａ（１，２）、Ａ（１，４）よりも大きくなるように、１番目の脚部２（１）の短手方向ＤＳ２が選択されている。ここで、方向Ｄ（ｉ，ｊ）における脚部２の幅が小さくなると、２つの脚部２が底部３に及ぼす単位面積当たりの摩擦力が小さくなる。この結果、底部３において距離Ｌ（ｉ，ｊ）間で拘束される領域における変形が、許容されやすくなる。特に、脚部２の短手方向ＤＳ２が距離Ｌ（ｉ，ｊ）の最大値を与える組合せＣ（ｉ，ｊ）に関連する方向Ｄ（ｉ，ｊ）に近づくように選択されているので、底部３の変形が、より許容されやすい。変形が許容されると、応力の発生も低減される。このため、第１、第２実施形態に係る浴槽１は、底部３に掛かる応力集中を低減できる。
【００４５】
第２実施形態に係る浴槽１では、最大値を与える組合せＣ（１，３）に関連する角度Ａ（１，３）は、略０度である。このため、第２実施形態に係る浴槽１は、底部３に掛かる応力集中をより一層低減できる。
【００４６】
第２実施形態に係る浴槽１では、底部は、平面視において、四隅に丸みを有する四角形形状を有しており、４つの脚部２の中心Ｐが、底部３の２つの対角線３Ｄ上に、底部３の中心Ｍに対して対称に設けられている。このため、第２実施形態に係る浴槽１は、底部３に掛かる応力集中をより一層低減できる。
【００４７】
第１、第２実施形態に係る浴槽１では、脚部３は、平面視において、四隅に丸みを有する長方形形状を有している。この形状は、折れ線を含む形状よりも、応力の発生を抑制でき且つ変形量を増大できる。このため、第１、第２実施形態に係る浴槽１は、底部３に掛かる応力集中をより一層低減できる。
【００４８】
（変形例）
本実施形態は、次の変形例を採用できる。
【００４９】
第１実施形態において、距離Ｌ（ｉ，ｊ）の最大値を与える組合せＣ（ｉ，ｊ）に関連する方向Ｄ（１，３）と、２番目に大きな距離Ｌ（ｉ，ｊ）を与える組合せＣ（ｉ，ｊ）に関連する方向Ｄ（１，２）と、の間を向くように、１番目の脚部２（１）の短手方向ＤＳ２が選択されてもよい。この変形例は、最大の拘束及び２番目に大きな拘束による応力の発生を抑制できる。このため、この変形例は、底部３に掛かる応力集中をより一層低減できる。
【００５０】
第２実施形態において、脚部２は、対角線３Ｄ上に配置されなくても良い。最大値を与える組合せＣ（１，３）に関連する角度Ａ（１，３）が、略０度であるので、既に、底部３に掛かる応力集中は、低減されている。
【００５１】
第１、第２実施形態において、底部３の形状は限定されない。
【００５２】
第１、第２実施形態において、脚部２の形状が短手方向を有する限り、脚部２の形状は限定されない。
【符号の説明】
【００５３】
１  浴槽
２、２（ｉ）、２（ｊ）  脚部
３  底部
Ｌ（ｉ，ｊ）  距離
Ｄ（ｉ，ｊ）  方向
Ａ（ｉ，ｊ）  角度
Ｐ、Ｐ（ｉ）、Ｐ（ｊ）  中心
【図１】
2013111258.tif 000003
【図２】
2013111258.tif 000004
【図３】
2013111258.tif 000005
【図４】
2013111258.tif 000006
【図５】
2013111258.tif 000007
【図６】
2013111258.tif 000008
【図７】
2013111258.tif 000009
【図８】
2013111258.tif 000010
【図９】
2013111258.tif 000011
【図１０】
2013111258.tif 000012